(57)【要約】【課題】単に利便性を最優先した高機能な時計とは異なった趣のある時計とすることができ、それによって高い付加価値を有する時計を提供する。【解決手段】長針及び短針と、少なくとも一部が外部から目視可能に設けられ、短針が２４時間分だけ回転するごとに所定の回転角度だけ一方向に回転する日車１１７と、長針及び短針と日車１１７とを駆動する駆動機構部１１８とを備える時計１００Ａであって、日車１１７には、詩歌を構成する文字が当該日車１１７の円周方向に沿って印字されている。【選択図】図２
0003174456.tif 000002
【実用新案登録請求の範囲】
【請求項１】
短針及び長針と、
少なくとも一部が外部から目視可能に設けられ、前記短針が２４時間分だけ回転するごとに所定の回転角度だけ一方向に回転する日車と、
前記長針及び短針と前記日車とを駆動する駆動機構部と、
を備える時計であって、
前記日車には、詩歌を構成する文字が当該日車の円周方向に沿って印字されていることを特徴とする時計。
【請求項２】
請求項１に記載の時計において、
前記所定の回転角度は、３６０度を１ヶ月の日数３１で割った値であって、
前記日車は、当該日車の円周方向に沿って３１個の文字印字領域を有し、当該３１個の文字印字領域には、前記詩歌を構成する文字が当該詩歌の文の流れに沿って印字されていることを特徴とする時計。
【請求項３】
請求項２に記載の時計において、
前記詩歌は３１文字以内で構成され、前記詩歌を構成する文字数が３１文字未満である場合には、前記３１個の文字印字領域のうちの所定の文字印字領域が空白であることを特徴とする時計。
【請求項４】
請求項２又は３に記載の時計において、
前記駆動機構部及び日車は、開口窓を有する文字盤で覆われており、
前記開口窓は、前記３１個の文字印字領域のうちの１個の文字印字領域に対応するように前記文字盤に形成されていることを特徴とする時計。
【請求項５】
請求項２又は３に記載の時計において、
前記駆動機構部及び日車は、開口窓を有する文字盤で覆われており、
前記開口窓は、前記３１個の文字印字領域のうちの複数個の文字印字領域に対応するように前記文字盤に形成されていることを特徴とする時計。
【請求項６】
請求項５に記載の時計において、
前記複数個の文字印字領域は、連続する２個の文字印字領域であることを特徴とする時計。
【請求項７】
請求項５に記載の時計において、
前記複数個の文字印字領域は、離間した位置に存在する複数個の文字印字領域であることを特徴とする時計。
【請求項８】
請求項５に記載の時計において、
前記複数個の文字印字領域は、ｎ個（ただし、２＜ｎ≦３１）の文字印字領域であることを特徴とする時計。
【請求項９】
請求項１〜３のいずれかに記載の時計であって、
前記駆動機部の少なくとも一部及び前記日車が外部から目視可能となっているスケルトン構造となっていることを特徴する時計。
【請求項１０】
請求項１〜９のいずれかに記載の時計において、
前記詩歌は、和歌、俳句、川柳又は詩のいずれかであって、前記日車に日本語で印字されていることを特徴とする時計。
【請求項１１】
請求項１〜１０のいずれかに記載の時計において、
前記時計は、腕時計、懐中時計又は置き時計のいずれかであることを特徴とする時計。
【考案の詳細な説明】
【技術分野】
【０００１】
本考案は、腕時計、懐中時計又は置き時計などの時計に関する。
【背景技術】
【０００２】
腕時計、懐中時計又は置き時計などの時計において、時刻表示のみならず、日付の表示を可能とする日付表示機能を備えた時計は従来から種々存在する（例えば、特許文献１参照。）。
【０００３】
図９は、特許文献１に開示されている時計を説明するために示す図である。特許文献１に開示されている時計９００（以下、従来の時計９００という。）は腕時計であって、図９に示すように、時計本体部９１０と、時計本体部９１０を腕に装着するためのベルト９２０とを備えている。時計本体部９１０は、外観的には、文字盤９１１と、短針９１２、長針９１３と、秒針９１４と、竜頭９１５とを有している。文字盤９１１には日付を表示するための開口窓９１６（日付表示窓９１６という。）が設けられている。
【０００４】
日付表示窓９１６には、日付を表す「１」〜「３１」のいずれかの数字が表示されるようになっている。日を表す「１」〜「３１」の数字は、日車（図９においては図示せず。）と呼ばれる円盤状の回転板の円周に沿って等間隔に印字されている。なお、日車は、短針９１２を回転駆動する輪列（図９においては図示せず。）と連動するように構成されており、短針９１２が一日分（２４時間分）だけ回転すると、日車も一日分の回転角度、すなわち、３６０度を１ヶ月の日数３１で割った回転角度（３６０度／３１）だけ時計方向に回転するようになっている。
【０００５】
このような日付表示機能を有することにより、今日が何日であるかを即座に知ることができ、大変便利なものとなる。また、従来の時計９００においては、日付表示を可能とするだけでなく、ひと月の日数が２８日又は２９日の場合（２月）や３０日の場合（４月、６月、９月及び１１月）において、所有者の行う修正作業の簡略化を可能とする技術も含まれている。
【０００６】
これにより、従来の時計９００によれば、使い勝手に優れた時計とすることができ、特に、日付の確認を頻繁に行う必要のある仕事に携わっている所有者にとっては重宝な時計となる。
【先行技術文献】
【特許文献】
【０００７】
【特許文献１】特開２００３−２３２８７３号公報
【考案の概要】
【考案が解決しようとする課題】
【０００８】
しかしながら、現在においては、携帯電話などの携帯端末の普及により、時間のみならず日付などを正確かつ容易に知ることができるようになっている。このため、腕時計などにおける日付表示機能は、特定の所有者を除いて、従来よりも必要性が薄れつつあるのが実情である。
【０００９】
一方、腕時計は昔から、単に時間を知らせる道具であるという側面に加えて、所有すること自体に価値（いわゆるステータスシンボルとしての価値）を持つ道具という側面を有する。それは、デジタル化とともに様々なソフトウエアの開発によって、より高度な機能を有する時計が種々開発されている一方で、相変らず、昔ながらの機械式の腕時計や、貴金属・宝石をふんだんに使用した腕時計に価値を見出す所有者が多いということに表れている。
【００１０】
この種の所有者は、いわゆる「もの」に対するこだわりを持つ所有者であって、時代の先端技術を用い、利便性を最優先した高機能なものとは別に、本当に自分の欲しいものを自分にとっての「一品」として所持したいという所有者である。特に、腕時計においてはこの傾向は強く、この種の所有者にとっては、利便性を最優先した高機能な時計というものには高い価値を見出すことができないと考えられる。
【００１１】
そこで本考案は、単に利便性を最優先した高機能な時計とは異なった趣のある時計とすることができ、それによって高い付加価値を有する時計を提供することを目的とする。
【課題を解決するための手段】
【００１２】
［１］本考案の時計は、短針及び長針と、少なくとも一部が外部から目視可能に設けられ、前記短針が２４時間分だけ回転するごとに所定の回転角度だけ一方向に回転する日車と、前記長針及び短針と前記日車とを駆動する駆動機構部と、を備える時計であって、前記日車には、詩歌を構成する文字が当該日車の円周方向に沿って印字されていることを特徴とする。
【００１３】
このように本考案の時計は、日付を表す数字の代わりに詩歌を表示させるようにしている。このため、本考案の時計は、単に利便性を最優先した高機能な時計とは異なった趣のある時計となり、それによって、高い付加価値を有する時計となる。
【００１４】
時計は、もともとは、西洋から渡来してきたものであって、西洋文化を引き継ぐものであるが、本考案の時計のように、西洋文化には存在しない日本独特の文化である詩歌（例えば和歌など）を表示することにより、時計の中に日本ならではの文化を吹き込むことができる。これにより、本考案の時計によれば、単に利便性を最優先した高機能な時計とは異なった趣のある時計とすることができ、それによって、高い付加価値を有する時計とすることができる。
【００１５】
［２］本考案の時計においては、前記所定の回転角度は、３６０度を１ヶ月の日数３１で割った値であって、前記日車は、当該日車の円周方向に沿って３１個の文字印字領域を有し、当該３１個の文字印字領域には、前記詩歌を構成する文字が当該詩歌の文の流れに沿って印字されていることが好ましい。
【００１６】
このように構成されているため、日車には１ヶ月の日数に相当する３１個の文字を当該日車の円周方向に沿って印字することができる。
【００１７】
［３］本考案の時計においては、前記詩歌は３１文字以内で構成され、前記詩歌を構成する文字数が３１文字未満である場合には、前記３１個の文字印字領域のうちの所定の文字印字領域が空白であることが好ましい。
【００１８】
このように、詩歌が３１個の文字で構成されていれば、当該詩歌を構成する文字を日車に一文字ずつ印字することができる。これにより、例えば、詩歌が五、七、五、七、七で構成される和歌（短歌など）であるとすれば、当該和歌を回転板に一文字ずつ印字することができるため、このような日本古来の歌を日付が変わるごとに一文字ずつ表示させることができる。
【００１９】
［４］本考案の時計においては、前記駆動機構部及び日車は、開口窓を有する文字盤で覆われており、前記開口窓は、前記３１個の文字印字領域のうちの１個の文字印字領域に対応するように前記文字盤に形成されていることが好ましい。
【００２０】
このように構成されているため、開口窓には、日付が変わるごとに詩歌を構成する文字を一文字ずつ表示させることができる。すなわち、従来の時計においては、開口窓には、日付が変わるごとに日付を表す数字（「１」〜「３１」）が表示されるが、本考案においては、日付を表す数字の代わりに、詩歌を構成する文字を一文字ずつ順次表示させることができる。
【００２１】
［５］本考案の時計においては、前記駆動機構部及び日車は、開口窓を有する文字盤で覆われており、前記開口窓は、前記３１個の文字印字領域のうちの複数個の文字印字領域に対応するように前記文字盤に形成されていることが好ましい。
【００２２】
このように構成されているため、開口窓には、日付が変わるごとに詩歌を構成する文字のうちの連続する複数個の文字を表示させることができる。これによって、当該詩歌の全体の流れを把握し易くすることができる。
【００２３】
［６］本考案の時計においては、前記複数個の文字印字領域は、連続する２個の文字印字領域であることが好ましい。
【００２４】
このように構成されているため、開口窓には、日付が変わるごとに詩歌を構成する文字のうちの連続する２文字を常時表示させることができる。これにより、その後に続く内容を自然に口ずさむことができ、当該短歌の全体の流れを把握し易くすることができる。
【００２５】
［７］本考案の時計においては、前記複数個の文字印字領域は、離間した位置に存在する複数個の文字印字領域であることも好ましい。
【００２６】
このように構成されているため、離間した位置に形成されている複数の開口窓には、詩歌を構成する文字のうち、離間して存在する複数個の文字を同時に表示させることができる。これにより、所有者は離間して存在する複数個の文字の間を埋めて行く楽しみを得ることができる。
【００２７】
［８］本考案の時計においては、前記複数個の文字印字領域は、ｎ個（ただし、２＜ｎ≦３１）の文字印字領域であることも好ましい。
【００２８】
このような構成とすることにより、開口窓には、詩歌の多くの内容又は詩歌の全体を同時に表示させることができる。
【００２９】
［９］本考案の時計においては、前記駆動機構部の少なくとも一部及び前記日車の全体が外部から目視可能となっているスケルトン構造となっていることも好ましい。
【００３０】
このように構成されているため、時計の構造を外部から目視することができるため、機械好きの人向けの時計とすることができるとともに、常時、詩歌の全体を見ることができる。
【００３１】
［１０］本考案の時計においては、前記詩歌は、和歌、俳句、川柳又は詩のいずれかであって、前記日車に日本語で印字されていることが好ましい。
【００３２】
このように、詩歌を和歌、俳句、川柳又は詩のいずれかとすることにより、従来の時計のように、単に利便性を最優先した高機能な時計とは異なった趣のある時計とすることができ、それによって高い付加価値を有する時計とすることができる。特に、和歌や俳句を表示させることにより、日本ならではの文化が吹き込まれた時計とすることができる。
【００３３】
［１１］本考案の時計においては、前記時計は、腕時計、懐中時計又は置き時計であることが好ましい。
【００３４】
このように、これらの時計は、所有者が身に付けたり、所有者の傍らに置く時計であるため、時計に表示される詩歌を間近で見ることができる。特に、腕時計や懐中時計は装飾品としての価値も要求されるため、これらの時計に詩歌が表示されるということによって、その価値をより高めることができる。
【図面の簡単な説明】
【００３５】
【図１】実施形態１に係る腕時計１００Ａの外観構成を示す図である。
【図２】実施形態１に係る腕時計１００Ａの内部構造を説明するために示す図である。
【図３】実施形態１に係る腕時計１００Ａの和歌車１１７を取り出して示す図である。
【図４】短歌を構成する文字が１文字ずつ表示されて行く様子を説明するために示す図である。
【図５】実施形態２に係る腕時計１００Ｂを説明するために示す図である。
【図６】実施形態２に係る腕時計１００Ｂを説明するために示す図である。
【図７】実施形態２に係る腕時計１００Ｂを説明するために示す図である。
【図８】実施形態２に係る腕時計１００Ｂを説明するために示す図である。
【図９】特許文献１に開示されている時計を説明するために示す図である。
【考案を実施するための形態】
【００３６】
以下、本考案の実施形態について説明する。なお、以下に示す実施形態においては、時計として腕時計を例にとって説明を行う。
【００３７】
［実施形態１］
図１は、実施形態１に係る腕時計１００Ａの外観構成を示す図である。実施形態１に係る腕時計１００Ａは、図１に示すように、時計本体部１１０と、時計本体部１１０を腕に装着するためのベルト１２０とを備えている。時計本体部１１０は外観的には、文字盤１１１と、短針１１２と、長針１１３と、秒針１１４と、竜頭１１５とを有している。
【００３８】
文字盤１１１には、従来の時計９００（図９参照。）と同様、開口窓１１６が設けられている。ただし、従来の時計９００における開口窓は、日付の表示を行うためのものであるため、日付表示窓９１６（図９参照。）としたが、実施形態１に係る腕時計１００Ａにおいては、当該開口窓１１６は日付の表示を行うものではなく、詩歌を構成する文字を一文字ずつ表示するものである。
【００３９】
なお、本考案においては、詩歌というのは、「和歌」、「俳句」、「川柳」及び「詩」などを総称したものであるとするが、実施形態１に係る腕時計１００Ａにおいては、これらのうち「和歌」を採用する。このため、実施形態１に係る腕時計１００Ａにおいては、開口窓１１６を「和歌表示窓１１６」とも呼ぶ。
【００４０】
図２は、実施形態１に係る腕時計１００Ａの内部構造を説明するために示す図である。なお、図２は実施形態１に係る腕時計１００Ａの内部構造の一部を示すものである。実施形態１に係る腕時計１００Ａの内部構造は、図２に示すように、日車１１７と、当該日車１１７、短針１１２、長針１１３及び秒針１１４を回転駆動する駆動機構部１１８とを有している。なお、駆動機構部１１８は従来の時計と同様の構成とすることができるため詳細な説明は省略する。
【００４１】
日車１１７は、駆動機構部１１８によって短針１１２（図２においては図示せず。）が一日分（２４時間分）だけ回転すると、一日分の回転角度、すなわち、３６０度を１ヶ月の日数３１で割った回転角度（３６０度／３１）だけ、時計方向（矢印Ａ方向）に回転するようになっている。
【００４２】
ところで、実施形態１に係る腕時計１００Ａにおいては、日車１１７には、図２に示すように、日付を示す数字ではなく、和歌が印字されている。このため、実施形態１に係る腕時計１００Ａにおいては、「日車」を「和歌車」とも呼ぶ。なお、「和歌」には、「短歌」、「長歌」、「旋頭歌」などが含まれるが、実施形態１に係る腕時計１００Ａにおいては、和歌車１１７に印字する和歌は「短歌」であるとする。これは、短歌は、基本的には「五、七、五、七、七」の３１文字で構成されているため、従来の日車によって表示すべき１ヶ月分の日数に相当するからである。
【００４３】
図３は、実施形態１に係る腕時計１００Ａの和歌車１１７を取り出して示す図である。和歌車１１７は３１個の文字印字領域を有している。なお、文字印字領域は、和歌車１１７を円周方向に３１等分することによって、３１個の文字を個々の文字ごとに印字可能とする領域であって、各領域を示す境界線などが付されているものではない。
【００４４】
また、図３において、和歌車１１７の外周縁の外側に示した「１」から「３１」の数字は、３１個の文字印字領域を個々に説明する際に用いるための数字であって、実施形態１に係る時計１００に実際に付されているものではない。以下では、３１個の文字印字領域を「１」〜「３１」の数字に対応付けて、文字印字領域１、文字印字領域２、文字印字領域３、・・・というように表記する。
【００４５】
ところで、図３において例示した短歌は、「石ばしる  垂水の上の  さ蕨の  萌え出づる春に  なりにけるかも」である。ただし、この短歌は、字余りであって、ひらがなで表記すると、３２文字となるが、図示のように、一部に漢字が使用されていることによって、３１文字以内となり、図示の場合においては、２６文字となっている。このような短歌は、当該短歌を構成する文字が１文字ずつ各文字印字領域に印字される。
【００４６】
図３においては、「石ばしる・・・」の「石」を文字印字領域１に印字した場合、「ば」は文字印字領域２に印字され、「し」は文字印字領域３に印字されるとように、当該短歌を構成する文字が各文字印字領域に順次印字される。ただし、「五、七、五、七、七」の切れ目に対応する文字印字領域（図３の例においては、文字印字領域５，１１，１５，２３，３１）は空白としている。
【００４７】
なお、図３の例においては、漢字を含む表記としたが、すべてをひらがな表記とすれば、字余りのない短歌の場合においては、３１個の文字印字領域の各文字印字領域に空白を設けることなく、当該短歌を構成する各文字（ひらがな）を１文字ずつ印字することができる。
【００４８】
図４は、短歌を構成する文字が１文字ずつ表示されて行く様子を説明するために示す図である。図４は図１に示す実施形態１に係る腕時計１００Ａの要部を拡大して示す図であり、図１と同一部分には同一符号が付されている。なお、和歌車１１７には図３に示すような短歌が印字されているものとする。
【００４９】
この場合、例えば、ある日（仮に１月１日とする。）に当該短歌の最初の文字が表示されるように設定したとする。このため、１月１日には、和歌表示窓１１６には「石」が表示される（図４（ａ）参照。）。そして、日付が替わって１月２日になると、「ば」の文字が表示され（図４（ｂ）参照。）、さらに、日付が変わって、１月３日になると、「し」の文字が表示される（図４（ｃ）参照。）というように、日付が変わるごとに短歌を構成する文字が一文字ずつ表示されて行く。
【００５０】
このように、実施形態１に係る腕時計１００Ａにおいては、和歌表示窓１１６には、和歌（この場合、短歌）を構成する文字が、日付が替わるごとに、１文字ずつ表示されて行く。ただし、図３に示すような和歌車１１７の場合、文字印字領域５，１１，１５，２３，３１は空白となっているため、１月５日、１１日、１５日、１月２３日、１月３１日においては、和歌表示窓１１６には文字が表示されずに空白となる。
【００５１】
なお、和歌車１１７に印字すべき短歌は、当該腕時計を購入しようとする購入希望者の好みとすることができる。例えば、腕時計１００Ａの販売者又は製造者(腕時計メーカーなど)で、色々な短歌が印字された和歌車を用意しておき、腕時計１００Ａを販売する際に、好みの短歌が印字されている和歌車を購入希望者に選択してもらい、購入希望者が選択した和歌車を時計に組み込んで販売するというようにしてもよく、また、腕時計の販売者又は製造者が、購入希望者から購入希望者の好みの短歌の注文を受けて、注文を受けた短歌を印字した和歌車を作製し、作製した和歌車１１７を腕時計に組み込んで販売するというように、和歌車１１７をオーダーメイドとするようにしてもよい。
【００５２】
このように、和歌車１１７をオーダーメイドとする場合においては、印字する短歌は、例えば、万葉集などに含まれている短歌、購入希望者自作の短歌、購入希望者の身近な人が詠んだ短歌など購入希望者の好みの短歌とすることができる。例えば、故人となった近親者の遺作を用いれば、故人を偲ぶこともできる。また、和歌車１１７をオーダーメイドとする場合、短歌の表記の仕方を「ひらがな」とするか、漢字を含むようにするかなどを購入希望者の好みに応じて選択可能とし、また、書体も購入希望者の好みに応じて選択可能とすることが好ましい。さらに、和歌車１１７に印字する字数が３１文字未満となる場合の空白の設定の仕方なども購入希望者の好みに応じて設定可能とすることが好ましい。
【００５３】
以上説明したように、従来では日付を表示する日付表示窓を実施形態１に係る腕時計１００Ａにおいては和歌表示窓１１６とし、当該和歌表示窓１１６には、日付が替わるごとに短歌が１文字ずつ表示させるようにしている。
【００５４】
腕時計は、もともとは、西洋から渡来してきたものであって、西洋文化を引き継ぐものであるが、実施形態１に係る腕時計１００Ａのように、西洋文化には存在しない日本独特の文化である短歌を表示することにより、腕時計の中に日本ならではの文化を吹き込むことができる。これにより、実施形態１に係る腕時計１００Ａによれば、単に利便性を最優先した高機能な時計とは異なった趣のある時計とすることができ、それによって、高い付加価値を有する時計とすることができる。特に、日本古来の文化である短歌を表示させることにより、日本ならではの文化が吹き込まれた時計となる。
【００５５】
［実施形態２］
図５〜図８は、実施形態２に係る腕時計１００Ｂを説明するために示す図である。実施形態２に係る腕時計１００Ｂが実施形態１に係る腕時計１００Ａと異なるのは、短歌の表示の仕方であり、それ以外は実施形態１に係る腕時計１００Ａと同様であるので、実施形態１に係る腕時計１００Ａと同一構成要素には同一符号を付している。
【００５６】
実施形態２に係る腕時計１００Ｂは、３１個の文字印字領域のうちの複数個の文字印字領域に対応するように和歌表示窓１１６を形成し、それによって、和歌車１１７に印字されている短歌を構成する文字を複数個同時に表示可能とするものである。以下に４つの態様（第１の態様〜第４の態様とする。）について図５〜図８により説明する。なお、実施形態２に係る腕時計１００Ｂにおいても、和歌車１１７には図３に示すような短歌が印字されているものとする。
【００５７】
図５は実施形態２に係る腕時計１００Ｂの第１の態様について説明するために示す図である。実施形態２に係る腕時計１００Ｂの第１の態様は、図５に示すように、３１個の文字印字領域のうち、連続する２個の文字印字領域に対応するように和歌表示窓１１６を形成したものである。和歌表示窓１１６をこのように形成することにより、和歌車１１７に印字されている文字のうち、連続する２つの文字を同時に表示することができる。
【００５８】
図５においては、和歌表示窓１１６には、「石」と「ば」が「石ば」というように表示されている。このような構成とすることにより、和歌表示窓１１６には、短歌を構成する文字のうち、連続する２文字が常に表示されることとなる。このようにすることにより、その後に続く内容を自然に口ずさむことができ、当該短歌の全体の流れを把握し易くすることができる。
【００５９】
図６は実施形態２に係る腕時計１００Ｂの第２の態様を示す図である。実施形態２に係る腕時計１００Ｂの第２の態様は、図６に示すように、３１個の文字印字領域のうち、１文字半の文字印字領域に対応するように和歌表示窓１１６を形成したものである。和歌表示窓１１６をこのように形成することにより、和歌車１１７に印字されている文字のうち、当日に表示されるべき１つの文字と、次の日に表示されるべき１つの文字の半分を同時に表示することができる。図６においては、「石」の全体と「ば」の半分が同時に表示されている。このようにすることによっても、その後に続く内容を自然に口ずさむことができ、当該短歌の全体の流れを把握し易くすることができる。
【００６０】
図７は実施形態２に係る腕時計１００Ｂの第３の態様を示す図である。実施形態２に係る腕時計１００Ｂの第３の態様は、図７に示すように、３１個の文字印字領域のうち、和歌車１１７の円周方向に沿って離間した位置に存在する複数個の文字印字領域複数個（図７においては３個としている。）に対応するように３個の和歌表示窓１１６ａ、１１６ｂ、１１６ｃを形成したものである。これにより、和歌車１１７に印字されている短歌のうちの離間した位置に存在する複数の文字を同時に表示することができる。
【００６１】
図７においては、文字印字領域１（図３参照。）の位置に印字されている「石」と、文字印字領域１２（図３参照。）の位置に印字されている「さ」と、文字印字領域２２（図３参照。）の位置に印字されている「に」とが同時に表示されている。このように、離間した位置に存在する複数の文字が同時に表示されるようにすることにより、表示されている文字の間を埋めて行く楽しみを得ることができる。
【００６２】
なお、このように、複数の和歌表示窓を設ける場合、図７においては、３つの和歌表示窓１１６ａ、１１６ｂ、１１６ｃを同じ形状（正方形状）としたが、各和歌表示窓１１６ａ、１１６ｂ、１１６ｃの形状をそれぞれ異なった形状としてもよい。例えば、図示は省略するが、和歌表示窓１１６ａは正方形とし、和歌表示窓１１６ａは円形とし、和歌表示窓１１６ａは六角形とするというようにしてもよい。離間した位置に設ける和歌表示窓の数は３個に限られるものではなく、例えば、２個であってもよく、また、４個であってもよい。
【００６３】
図８は実施形態２に係る腕時計１００Ｂの第４の態様を示す図である。実施形態２に係る腕時計１００Ｂの第４の態様は、図８に示すように、３１個の文字印字領域のうち、ｎ個（ただし、２＜ｎ≦３１）の文字印字領域に対応するように和歌表示窓を形成したものである。これにより、和歌車１１７に印字されている短歌の多くの内容又は短歌の全体を同時に表示させることができる。図８においては、短歌の体を同時に表示可能としている。
【００６４】
このような構成とすることにより、和歌車１１７に印字されている短歌全体を常時読むことができる。なお、和歌車１１７に印字されている短歌全体を表示可能とする場合、和歌表示窓１１６を全体的にリング状に形成してしまうと、文字盤１１１が当該リング状の和歌表示窓１１６によって分断されてしまうこととなる。
【００６５】
文字盤１１１が当該リング状の和歌表示窓１１６によって分断されてしまうと、時刻を示す数字が記載されているドーナツ状の時刻表示円盤部１１１ａと中央部の中央円盤部１１１ｂとに分かれてしまい、時刻表示円盤部１１１ａ（図８参照。）又は中央円盤部１１１ｂ（図８参照。）の一方が固定できなくなってしまう。このため、時刻表示円盤部１１１ａと中央円盤部１１１ｂとを連結する必要がある。
【００６６】
すなわち、中央円盤部１１１ｂがもともと固定ピン（図示せず。）によって時計本体部１１０に固定されている場合には、文字盤１１１が当該リング状の和歌表示窓１１６によって分断されたとしても、中央円盤部１１１ｂは固定状態を保持できるが、時刻表示円盤部１１１ａは中央円盤部１１１ｂから切り離されてしまうため、固定されない状態となる。このため、時刻表示円盤部１１１ａと中央円盤部１１１ｂとを連結部１１１ｃによって連結することにより、時刻表示円盤部１１１ａを固定することができる。
【００６７】
また、これとは逆に、時刻表示円盤部１１１ａがもともと固定ピン（図示せず。）によって時計本体部１１０に固定されている場合には、文字盤１１１が当該リング状の和歌表示窓１１６によって分断されたとしても、時刻表示円盤部１１１ａは固定状態を保持できるが、中央円盤部１１１ｂは時刻表示円盤部１１１ａから切り離されてしまうため、固定されない状態となる。この場合も、中央円盤部１１１ｂと時刻表示円盤部１１１ａとを連結部１１１ｃによって連結することにより、中央円盤部１１１ｂを固定することができる。
【００６８】
なお、図８においては、連結部１１１ｃを４か所に設けるようにした場合が例示されている。このため、図８においては、細長く円弧を描く４個の和歌表示窓１１６ｅ〜１１１６ｈが和歌車１１７の円周方向に沿って形成される。また、図８においては、連結部１１１ｃを４箇所とした場合を例示したが、時刻表示円盤部１１１ａと中央円盤部１１１ｂとを連結して両者を確実に固定させることがきればよいため、４箇所に限られるものではなく、４箇所未満であってもよく、また、５か所以上であってもよい。例えば、３１個の個々の文字印字領域の間に連結部を形成するようにしてもよい。この場合、和歌表示窓は、和歌車１１７の円周方向に沿って３１個形成される。
【００６９】
また、図８に示すように、短歌の全体を同時に表示する場合においては、短歌を構成する文字の配列は、逆方向であってもよい。すなわち、これまでの説明においては、図３に示すように、時計方向（矢印Ａ方向）に回転する和歌車１１７に対して、日付が替わるごとに次の文字を表示する構造であるため、短歌を構成する文字は反時計方向の配列となっていたが、短歌のすべての文字を同時に表示する場合においては、短歌を構成する文字は、時計方向の配列としてもよい。短歌を構成する文字を時計方向の配列とすることによって、短歌が日本語の自然な配列で表示されるため、日本人にとっては読み易いものとなる。
【００７０】
なお、本考案は上述の実施形態に限られるものではなく、本考案の要旨を逸脱しない範囲で種々変形実施可能となるものである。たとえば、下記に示すような変形実施も可能である。
【００７１】
（１）上記各実施形態１においては、和歌車１１７には和歌として短歌を印字した場合を例示したが、短歌に限られるものではなく、長歌、旋頭歌などであってもよい。また、和歌に限られるものではなく、例えば、俳句、川柳、詩などあってもよい。ただし、長歌、旋頭歌、詩などにおいては、漢字を含めて３１文字以内とすることが好ましい。
【００７２】
（２）上記各実施形態においては、特に言及しなかったが、本考案の時計は、時計本体部１１０のケース（枠体）部分は貴金属であってもよく、また、木製（例えば黒檀など。）であってもよい。また、腕時計の場合は、腕に装着するためのベルト１２０が必要であるが、当該ベルト１２０の素材は特に限定されるものではなく、例えば、インデンを利用したものなど種々の素材を使用可能である。また、ダイヤモンド、ルビー、翡翠などの宝石を散りばめるようにしてもよい。
【００７３】
（３）上記各実施形態においては、和歌車１１７及び歯車などの駆動機構部１１８はカバー（文字盤１１１）によって覆われるようにしたが、駆動機構部１１８の少なくとも一部及び日車（和歌車１１７）が外部からそのまま直視できるような構造（スケルトン構造）としてもよい。
【００７４】
（４）上記各実施形態においては、文字盤１１１には時刻を示す数字がアラビア数字（算用数字）で印字されている場合を例示したが、アラビア数字に限られるものではなく、ローマ数字であってよく、また、特に、数字を印字させずに、例えば、時刻を表す「１２」、「３」、「６」、「９」の位置に例えば三角形などのマークを付すようにしてもよい。また、腕時計の形状やデザインなどは、実施形態に示すものに限定されるものではないことはいうまでもない。
【００７５】
（５）上記各実施形態においては、腕時計を例示したが、本考案は腕時計に限られるものではなく、懐中時計や置き時計であってもよい。
【符号の説明】
【００７６】
１００Ａ，１００Ｂ・・・腕時計、１１０・・・時計本体部、１２０・・・ベルト、１１１・・・文字盤、１１１ａ…時刻表示円盤部、１１１ｂ・・・中央円盤部、１１１ｃ・・・連結部、１１２・・・短針、１１３・・・長針、１１４・・・秒針、１１５・・・竜頭、１１６，１１６ａ〜１１６ｈ・・・和歌表示窓（開口窓）、１１７・・・和歌車（日車）、１１８・・・駆動機構部
【図１】
0003174456.tif 000003
【図３】
0003174456.tif 000004
【図４】
0003174456.tif 000005
【図５】
0003174456.tif 000006
【図６】
0003174456.tif 000007
【図７】
0003174456.tif 000008
【図８】
0003174456.tif 000009
【図９】
0003174456.tif 000010
【図２】
0003174456.tif 000011